(57)【特許請求の範囲】
【請求項１】
棒状の本体部（３１）と、この本体部（３１）より径大であり、ボルト頭部又はナットに適合する断面の収容スペース（３２）を有する先端ボックス部（３３）とを備えたボックスビット工具（３０）に装着される保護カバー（１）であって、
前記ボックスビット工具（３０）の根元側から当該ボックスビット工具（３０）に外嵌可能な筒状体（２、３）からなり、
この筒状体（２、３）の内周面には、前記ボックスビット工具（３０）の外周面の段部（３５）に係止可能な肩部（６）が形成されており、且つ、
前記肩部（６）が段部（３５）に係止した状態からの前記筒状体（２、３）の根元側への移動を規制する規制手段を備え、
前記筒状体（２、３）は、第１筒体（２）及びこの第１筒体（２）よりも径大の第２筒体（３）からなっており、
前記第１筒体（２）と第２筒体（３）の境界の内周に前記肩部（６）が形成されており、且つ、
ボックスビット工具（３０）を駆動させる駆動装置（４０）における当該ボックスビット工具固定用の保持筒（４１）の先端面に当接可能な、前記第１筒体（２）の端面が規制手段を構成していることを特徴とするボックスビット工具用保護カバー（１）。
【請求項２】
前記ボックスビット工具（３０）は、前記本体部（３１）と先端ボックス部（３３）との間に、本体部（３１）より径大であり且つ先端ボックス部（３３）より径小の中間部（３４）を備えており、
前記肩部（６）は、本体部（３１）と中間部（３４）との境界に形成された段部（３５）に係止可能にされている請求項１記載のボックスビット工具用保護カバー（１）。
【請求項３】
前記第２筒体（３）が、根元側の第２筒体（３ａ）と先端側の第２筒体（３ｂ）とからなり、この先端側の第２筒体（３ｂ）が根元側の第２筒体（３ａ）から分離可能である請求項１または請求項２記載のボックスビット工具用保護カバー（１）。
【請求項４】
前記先端側の第２筒体（３ｂ）の内周面に、前記中間部（３４）と先端ボックス部（３３）との境界の第２段部（３６）に係止可能な第２肩部（７）が形成されている請求項３に記載のボックスビット工具用保護カバー（１）。
【請求項５】
棒状の本体部（３１）と、この本体部（３１）より径大であり、ボルト頭部又はナットに適合する断面の収容スペース（３２）を有する先端ボックス部（３３）とを備えたボックスビット工具（３０）に装着される保護カバー（１１）であって、
前記ボックスビット工具（３０）の根元側から当該ボックスビット工具（３０）に外嵌可能な筒状体からなり、
この筒状体の内周面には、前記ボックスビット工具（３０）の外周面の段部（３５）に係止可能な肩部（６１）が形成されており、且つ、
前記筒状体の根元側端面が、前記段部（３５）よりも根元側のボックスビット工具外周面に形成された周溝（６０）に留められるスナップリング（６２）に係止可能に構成されていることを特徴とするボックスビット工具用保護カバー（１１）。
【請求項６】
棒状の本体部（３１）と、この本体部（３１）より径大であり、ボルト頭部又はナットに適合する断面の収容スペース（３２）を有する先端ボックス部（３３）とを備えたボックスビット工具（３０）に装着される保護カバー（２１）であって、
前記ボックスビット工具（３０）の根元側から当該ボックスビット工具（３０）に外嵌可能な筒状体からなり、
この筒状体の内周面には、前記ボックスビット工具（３０）の外周面の段部（３５）に係止可能な肩部（７０）が形成されており、且つ、
前記筒状体の周壁に、止めネジ（７１）が螺入可能な穴又は孔（７２）が形成されていることを特徴とするボックスビット工具用保護カバー（２１）。
【請求項７】
前記筒状体の先端面が面取り加工又はＲ加工されている請求項１〜６のいずれかに記載のボックスビット工具保護カバー（１、１１、２１）。
【請求項８】
前記筒状体がポリエチレン又は６ナイロンで作製されている請求項１〜７のいずれかに記載のボックスビット工具用保護カバー（１、１１、２１）。
【発明の詳細な説明】
【技術分野】
【０００１】
本発明はボックスビット工具用保護カバーに関する。さらに詳しくは、ボルトやナットを締め付けるのに用いられるボックスビット工具の先端部分との接触によりワークが傷付くのを防止するボックスビット工具用保護カバーに関する。
【背景技術】
【０００２】
従来、各種装置の組立工程において、ボルト又はナットを回動させる工具として、六角形や四角形のボルト頭部又はナットに嵌合して当該ボルト又はナットを回動させるボックスビット工具が用いられている。
【０００３】
かかるボックスビット工具では、ボルトやナットを回動させる際に当該工具とボルトやナットとの接触部位に大きな荷重が作用するため、一般に、ボルトやナットと嵌合する工具の先端部分（ボックス部）を含む工具全体が金属で作製されている。
【０００４】
ところで、前記ボックスビット工具は、エアインパクト駆動装置などの駆動装置により回動させられるが、例えばボルトがまっすぐにセットされていないと、回動開始直後にボルトがはずれてしまい、その後、勢いのあまりボックスビット工具の先端がワークに触れて当該ワークを傷付けることがある。
【０００５】
そこで、このようなワークの傷付きを防止する方策として、ボックスビット工具先端のボックス部の外面及び先端面の一部を合成樹脂からなるカバー部で覆うことが提案されている（例えば、特許文献１参照）。
【先行技術文献】
【特許文献】
【０００６】
【特許文献１】特開２００５−３４９１５号公報
【発明の概要】
【発明が解決しようとする課題】
【０００７】
しかしながら、特許文献１記載のカバー部はボックスビット工具先端のボックス部の外面に先端側から圧入されているので、現場で簡単に取り外したり、装着したりすることができない。そのため、ボルトやナットと嵌合するボックス部内周面が磨耗するなどの理由で工具を交換する必要が生じた場合に、工具だけを交換することができず、工具とカバー部の全体を交換しなければならない。
【０００８】
一方、圧入の程度が不十分であると、使用中にカバー部が外れてしまい、工具先端が直接ワークに触れて当該ワークに傷を付けてしまう惧れがある。また、外れたカバー部がワーク内に取り残されて、そのまま製品として出荷されてしまう惧れもある。
【０００９】
本発明は、このような事情に鑑みてなされたものであり、交換が容易であり、且つ、使用時に外れることがないボックスビット工具用保護カバーを提供することを目的としている。
【課題を解決するための手段】
【００１０】
本発明の第１の観点に係るボックスビット工具用保護カバー（以下、単に「保護カバー」ともいう）は、棒状の本体部と、この本体部より径大であり、ボルト頭部又はナットに適合する断面の収容スペースを有する先端ボックス部とを備えたボックスビット工具に装着される保護カバーであって、
前記ボックスビット工具の根元側から当該ボックスビット工具に外嵌可能な筒状体からなり、
この筒状体の内周面には、前記ボックスビット工具の外周面の段部に係止可能な肩部が形成されており、且つ、
前記肩部が段部に係止した状態からの前記筒状体の根元側への移動を規制する規制手段を備え、
前記筒状体は、第１筒体及びこの第１筒体よりも径大の第２筒体からなっており、
前記第１筒体と第２筒体の境界の内周に前記肩部が形成されており、且つ、
ボックスビット工具を駆動させる駆動装置における当該ボックスビット工具固定用の保持筒の先端面に当接可能な、前記第１筒体の端面により規制手段を構成していることを特徴としている。
【００１１】
本発明の第１の観点に係る保護カバーは、筒状体の内周面にボックスビット工具の外周面の段部に係止可能な肩部が形成されているので、前記肩部を段部に係止させることで、当該保護カバーの先端側への移動を規制することができる。その結果、使用時に保護カバーがボックスビット工具から外れることがない。また、規制手段により、前記肩部が段部に係止した状態からの前記筒状体の根元側への移動が規制されるので、ボルトを回動させる際に作業ミスによりボックスビット工具がワークに近接した場合でも、保護カバーによって、先端ボックス部がワークに触れるのを確実に防止することができる。
また、保護カバーは、圧入によりボックスビット工具に装着されているのではなく、当該ボックスビット工具の根元側から外嵌させるだけであるので、工具を用いることなく現場で簡単に保護カバーの取り外し及び装着をすることができる。
【００１２】
また、この場合、特別な部材を用いることなく、第１筒体の端面をボックスビット工具固定用の保持筒の先端面に当接させるだけで、保護カバーの位置決めをすることができ、当該保護カバーの根元側への移動を規制することができる。
【００１３】
前記ボックスビット工具は、前記本体部と先端ボックス部との間に、本体部より径大であり且つ先端ボックス部より径小の中間部を備えており、
前記肩部は、本体部と中間部との境界に形成された段部に係止可能にされたものとすることができる。この場合、ボックスビット工具の本体部と中間部との境界に形成された段部に保護カバーの肩部を係止させて、当該保護カバーの先端側への移動を規制することができる。
【００１４】
前記第２筒体が、根元側の第２筒体と先端側の第２筒体とからなり、この先端側の第２筒体が根元側の第２筒体から分離可能であるのが好ましい。この場合、保護カバーの先端部がワークとの接触により磨耗又は損傷したときに、前記先端側の第２筒体だけを交換することができる。また、ボックスビット工具の先端ボックス部は、締め付けるボルトのサイズに応じて外径が異なる複数のものが考えられるが、駆動装置に固定される本体部のサイズは共通である。したがって、根元側の第２筒体及び第１筒体を共用にして、先端ボックス部に装着される先端側の第２筒体を変えるだけで、サイズが異なる先端ボックス部に対応することができる。
【００１５】
前記先端側の第２筒体の内周面に、前記中間部と先端ボックス部との境界の第２段部に係止可能な第２肩部を形成することができる。この場合、肩部と段部との係止、及び、第２肩部と第２段部との係止の両方で保護カバーの先端側への移動を規制することができる。
【００１６】
また、本発明の第２の観点に係る保護カバーは、棒状の本体部と、この本体部より径大であり、ボルト頭部又はナットに適合する断面の収容スペースを有する先端ボックス部とを備えたボックスビット工具に装着される保護カバーであって、
前記ボックスビット工具の根元側から当該ボックスビット工具に外嵌可能な筒状体からなり、
この筒状体の内周面には、前記ボックスビット工具の外周面の段部に係止可能な肩部が形成されており、且つ、
前記筒状体の根元側端面が、前記段部よりも根元側のボックスビット工具外周面に形成された周溝に留められるスナップリングに係止可能に構成されていることを特徴としている。
【００１７】
本発明の第２の観点に係る保護カバーは、筒状体の内周面にボックスビット工具の外周面の段部に係止可能な肩部が形成されているので、前記肩部を段部に係止させることで、当該保護カバーの先端側への移動を規制することができる。その結果、使用時に保護カバーがボックスビット工具から外れることがない。また、前記段部よりも根元側のボックスビット工具外周面に形成された周溝に留められるスナップリングにより、前記肩部が段部に係止した状態からの前記筒状体の根元側への移動が規制されるので、ボルトを回動させる際に作業ミスによりボックスビット工具がワークに近接した場合でも、保護カバーによって、先端ボックス部がワークに触れるのを確実に防止することができる。
また、保護カバーは、圧入によりボックスビット工具に装着されているのではなく、当該ボックスビット工具の根元側から外嵌させるだけであるので、工具を用いることなく現場で簡単に保護カバーの取り外し及び装着をすることができる。
【００１８】
さらに、本発明の第３の観点に係る保護カバーは、棒状の本体部と、この本体部より径大であり、ボルト頭部又はナットに適合する断面の収容スペースを有する先端ボックス部とを備えたボックスビット工具に装着される保護カバーであって、
前記ボックスビット工具の根元側から当該ボックスビット工具に外嵌可能な筒状体からなり、
この筒状体の内周面には、前記ボックスビット工具の外周面の段部に係止可能な肩部が形成されており、且つ、
前記筒状体の周壁に、止めネジが螺入可能な穴又は孔が形成されていることを特徴としている。
【００１９】
本発明の第３の観点に係る保護カバーは、筒状体の内周面にボックスビット工具の外周面の段部に係止可能な肩部が形成されているので、前記肩部を段部に係止させることで、当該保護カバーの先端側への移動を規制することができる。その結果、使用時に保護カバーがボックスビット工具から外れることがない。また、筒状体の周壁に形成された穴又は孔に螺入される止めネジにより、前記肩部が段部に係止した状態からの前記筒状体の根元側への移動が規制されるので、ボルトを回動させる際に作業ミスによりボックスビット工具がワークに近接した場合でも、保護カバーによって、先端ボックス部がワークに触れるのを確実に防止することができる。
また、保護カバーは、圧入によりボックスビット工具に装着されているのではなく、当該ボックスビット工具の根元側から外嵌させるだけであるので、工具を用いることなく現場で簡単に保護カバーの取り外し及び装着をすることができる。
【００２０】
前記第１〜第３の観点に係る保護カバーにおいて、前記筒状体の先端面が面取り加工又はＲ加工されているのが好ましい。この場合、保護カバーがワークに接触した場合においても、当該保護カバーによるワークへのダメージを小さくすることができる。
【００２１】
前記第１〜第３の観点に係る保護カバーにおいて、前記筒状体をポリエチレン又は６ナイロンで作製することができる。この場合、必要な強度を確保しつつ、ワークに接触した場合における当該ワークへのダメージを小さくすることができる。
【発明の効果】
【００２２】
本発明のボックスビット工具用保護カバーによれば、交換が容易であり、且つ、使用時に外れることがない。
【図面の簡単な説明】
【００２３】
【図１】本発明の保護カバーの第１実施形態の縦断面図である。
【図２】図１に示される保護カバーの分解断面図である。
【図３】図１に示される保護カバーをボックスビット工具に装着した状態を示す縦断面図である。
【図４】図３に示されるボックスビット工具を駆動装置に取り付けた状態を示す部分断面説明図である。
【図５】本発明の保護カバーの第２実施形態をボックスビット工具に装着する操作を説明する斜視図である。
【図６】本発明の保護カバーの第２実施形態をボックスビット工具に装着する操作を説明する斜視図である。
【図７】図５に示される保護カバーの断面図である。
【図８】本発明の保護カバーの第３実施形態をボックスビット工具に装着する操作を説明する斜視図である。
【図９】本発明の保護カバーの第３実施形態をボックスビット工具に装着する操作を説明する斜視図である。
【図１０】図８に示される保護カバーの断面図である。
【発明を実施するための形態】
【００２４】
以下、添付図面を参照しつつ、本発明の保護カバーの実施の形態を詳細に説明する。
〔第１実施形態〕
図１は、本発明の第１実施形態に係る保護カバー１の縦断面図であり、図２は、図１に示される保護カバー１の分解断面図であり、図３は、図１に示される保護カバー１をボックスビット工具３０に装着した状態を示す縦断面図である。
【００２５】
本発明の保護カバーは、ボルトやナットを締め付けるのに用いられるボックスビット工具３０に装着され、当該ボックスビット工具３０の先端部分がワークに触れて、当該ワークを傷つけるのを防止するものである。
【００２６】
ボックスビット工具３０は、棒状の本体部３１と、この本体部３１より径大であり、ボルト頭部又はナットに適合する断面六角形の収容スペース３２（図５参照）を有する先端ボックス部３３とを備えている。また、第１実施形態及び後述する第２〜第３実施形態に係る保護カバーが装着されるボックスビット工具３０は、前記本体部３１と先端ボックス部３３との間に、本体部３１より径大であり且つ先端ボックス部３３より径小の中間部３４を備えている。
【００２７】
ボックスビット工具３０は、ボルトやナットを回動させる際に、前記収容スペース３２の内壁３２ａとボルトやナットとの接触部位に大きな荷重が作用するため、先端ボックス部３３を含む工具全体が金属で作製されている。
【００２８】
先端ボックス部３３及び中間部３４の横断面は円形である。これに対し本体部３１は、先端部３１ａの横断面は円形であるが、根元部３１ｂの横断面は六角形であり、この六角形の根元部３１ｂが、図４に示されるようにエアインパクト駆動装置などの駆動装置に固定される。そして、後述するように、前記六角形の根元部３１ｂには固定用のボール３７を収容可能な断面略半円形の周溝３８が形成されている。
【００２９】
本体部３１の先端部３１ａと中間部３４との境界には、傾斜面からなる段部３５が形成されており、また、中間部３４と先端ボックス部３３との境界には、同じく傾斜面からなる第２段部３６が形成されている。
【００３０】
保護カバー１は、前記ボックスビット工具３０の根元側から当該ボックスビット工具３０に外嵌可能な筒状体からなっており、この筒状体は、第１筒体２と、この第１筒体２よりも径大の第２筒体３とを備えている。また、外径と同様に、第２筒体３の内径は第１筒体２の内径よりも大きくされている。
【００３１】
本実施形態では、前記第２筒体３が根元側の第２筒体３ａと先端側の第２筒体３ｂとで構成されている。第２筒体３ａと第２筒体３ｂの外径は同一にされているが、内径は、根元側の第２筒体３ａの方が先端側の第２筒体３ｂよりも小さくされている。換言すれば、先端側の第２筒体３ｂの方が根元側の第２筒体３ａよりも薄肉にされている。第２筒体３ａの先端部３ａ１は、他の部分よりも内径が大きくされることで薄肉にされている。そして、この薄肉にされた先端部３ａ１と他の部分との境界に段部４が形成されている。一方、この第２筒体３ａの薄肉にされた先端部３ａ１に対向する第２筒体３ｂの端部３ｂ１は、外径が小さくされることで薄肉にされている。そして、この薄肉にされた端部３ｂ１と他の部分との境界に段部５が形成されている。
【００３２】
第２筒体３ａの先端部３ａ１の内径は、第２筒体３ｂの端部３ｂ１の外径と略同一にされており、これにより、第２筒体３ａの先端部３ａ１は第２筒体３ｂの端部３ｂ１に圧入可能となっている。圧入により、第２筒体３ｂの端部３ｂ１の端面が段部４に当接し、第２筒体３ａの先端部３ａ１の端面が段部５に当接するように、当該端部３ｂ１及び先端部３ａ１の軸方向の長さは同一長さに設定されている。
【００３３】
第２筒体３ｂの先端面には、面取り加工又はＲ加工が施されている。これにより、保護カバー１がワークに接触した場合においても、当該保護カバー１によるワークへのダメージを小さくすることができる。
【００３４】
第１筒体２と、第２筒体３、より詳細には根元側の第２筒体３ａとの境界の内周には傾斜面からなる肩部６が形成されている。また、先端側の第２筒体３ｂの内周には傾斜面からなる第２肩部７が形成されている。肩部６の傾斜面と前記段部３５の傾斜面は、保護カバー１をボックスビット工具３０に装着したときに互いに当接するように、同じ傾斜角にされている。また、第２肩部７の傾斜面と前記第２段部３６の傾斜面も、保護カバー１をボックスビット工具３０に装着したときに互いに当接するように、同じ傾斜角にされている。
【００３５】
本実施形態では、第１筒体２と、根元側の第２筒体３ａとが合成樹脂により一体成形されている。これらとは別体に合成樹脂で作製された先端側の第２筒体３ｂは、根元側の第２筒体３ａに着脱可能に取り付けられる。使用することができる合成樹脂としては、例えばポリエチレン、６ナイロンを挙げることができるが、保護カバーとして必要な強度を確保しつつ、ワークに接触した場合における当該ワークへのダメージを小さくすることができる点より、ポリエチレン又は６ナイロンを用いるのが好ましい。
【００３６】
第１筒体２はボックスビット工具３０の本体部３１の外周に装着され、第２筒体３は同じく中間部３４及び先端ボックス部３３の外周に装着される。その際、肩部６が段部３５に係止し、第２肩部７が第２段部３６に係止するので、保護カバー１が先端側に抜け出ることがない。
【００３７】
図４は、図３に示されるボックスビット工具３０を駆動装置４０に取り付けた状態を示す部分断面説明図である。駆動装置４０は、エアにより駆動されるエアインパクト駆動装置であり、その先端部には、ボックスビット工具３０の断面六角形の根元部３１ｂを収容して固定するための保持筒４１が設けられている。保持筒４１の外周には、公知の機構からなるチャック部４２が配設されている。なお、図３及び図４では、分かり易くするために保護カバー１の内周面とボックスビット工具３０の外周面との隙間、及び、保持筒４１の内周面とボックスビット工具３０の根元部３１ｂとの隙間を実際よりも大きく描いている。現実には、これらは互いに密接している。
【００３８】
チャック部４２は、短筒形状の操作部４３と、付勢手段であるコイルバネ４４と、ボール３７とを備えている。コイルバネ４４の一端は前記保持筒４１の先端部外周面に固設された環状のストッパー４６に当接しており、他端は、前記操作部４３の内周面に設けられた環状の本体部４７に当接している。コイルバネ４４は、保持筒４１の外方であって、操作部４３の内方に形成される環状のスペース４８内に配設される。ボール３７は、保持筒４１に形成された開口４９を介して、本体部４７の凹部５０と前記周溝３８との間を移動可能にされている。操作部４３の外周面には、当該操作部４３を把持しやすいように複数の環状リブ５１が形成されている。
【００３９】
次に、第１実施形態に係る保護カバー１のボックスビット工具３０への装着方法について説明する。
保護カバー１の先端側の第２筒体３ｂが、根元側の第２筒体３ａ及び第１筒体２と別体であるときは、まず、当該第２筒体３ｂを第２筒体３ａに取り付けて、図１に示されるような保護カバー１とする。
【００４０】
次に、この保護カバー１をボックスビット工具３０の根元側から当該ボックスビット工具３０に装着する（図３参照）。
ついで、駆動装置４０の操作部４３をコイルバネ４４の付勢力に抗して先端側に移動させ、ボール３７を本体部４７の凹部５０内に移動させる（図４参照）。この状態では、ボール３７が保持筒４１の開口４９から当該保持筒４１内に突出していない。
【００４１】
ついで、保護カバー１が装着されたボックスビット工具３０の断面六角形の根元部３１ｂを保持筒４１内に挿入する。挿入後、先端側に移動させていた操作部４３を離すと、コイルバネ４４の付勢力によって当該操作部４３は根元側に移動する。その際、操作部４３の本体部４７の凹部５０に移動していたボール３７は、当該凹部５０の傾斜面５０ａに押されて、保持筒４１の開口４９を介して当該保持筒４１内に突出する。そして、この突出した部分が前記周溝３８内に嵌まる。これにより、ボックスビット工具３０は駆動装置４０に固定され、当該駆動装置４０からの抜けが防止される。
ボックスビット工具３０が駆動装置４０に固定された状態において、先端側の第２筒体３ｂの先端は、ボックスビット工具３０の先端ボックス部３３の先端面３３ａよりもわずかに（例えば、１ｍｍ程度）突出するように設定されている。
【００４２】
第１実施形態に係る保護カバー１においては、ボックスビット工具３０が駆動装置４０に固定された状態において、第１筒体２の端面２ａが、駆動装置４０の保持筒４１の先端面に当接するように、当該第１筒体２の軸方向の長さが設定されている。これにより、ボックスビット工具３０を駆動装置４０に固定した状態において、保護カバー１が根元側に移動するのを規制することができる。
【００４３】
第１実施形態に係る保護カバー１は、筒状体の内周面にボックスビット工具３０の外周面の段部３５及び第２段部３６にそれぞれ係止可能な肩部６及び第２肩部７が形成されているので、前記肩部６及び第２肩部７を段部３５及び第２段部３６にそれぞれ係止させることで、当該保護カバー１の先端側への移動を規制することができる。その結果、使用時に保護カバー１がボックスビット工具３０から外れることがない。また、筒状体の端面２ａとボックスビット工具固定用の保持筒４１の先端面との当接により、前記肩部６及び第２肩部７が段部３５及び第２段部３６に係止した状態からの前記筒状体の根元側への移動が規制されるので、ボルトを回動させる際に作業ミスによりボックスビット工具３０がワークに近接した場合でも、保護カバー１によって、先端ボックス部３３がワークに触れるのを確実に防止することができる。
【００４４】
また、保護カバー１は、圧入によりボックスビット工具３０に装着されているのではなく、当該ボックスビット工具３０の根元側から外嵌させるだけであるので、工具を用いることなく現場で簡単に保護カバー１の取り外し及び装着をすることができる。
【００４５】
また、第１実施形態に係る保護カバー１では、第２筒体３が、根元側の第２筒体３ａと先端側の第２筒体３ｂとからなり、この先端側の第２筒体３ｂが根元側の第２筒体３ａから分離可能であるので、保護カバー１の先端部がワークとの接触により磨耗又は損傷したときに、前記先端側の第２筒体３ｂだけを交換することができる。また、ボックスビット工具３０の先端ボックス部３３は、締め付けるボルトのサイズに応じて外径が異なる複数のものが考えられるが、駆動装置に固定される本体部３１のサイズは共通である。したがって、根元側の第２筒体３ａ及び第１筒体２を共用にして、先端ボックス部３３に装着される先端側の第２筒体３ｂを変えるだけで、サイズが異なる先端ボックス部３３に対応することができる。
【００４６】
〔第２実施形態〕
図５〜６は、本発明の第２実施形態に係る保護カバー１１をボックスビット工具３０に装着する操作を説明する斜視図であり、図７は、図５に示される保護カバー１１の断面図である。なお、ボックスビット工具３０の構成は、後述する周溝６０が当該ボックスビット工具３０の中間部３４の外周面に形成されている点を除き、第１実施形態において説明したものと同じであるので、簡単のためにそれらの説明を省略する。
【００４７】
第２実施形態に係る保護カバー１１は、ボックスビット工具３０の根元側から当該ボックスビット工具３０に外嵌可能な短円筒体からなっており、その内周面にはボックスビット工具３０の先端ボックス部３３と中間部３４との境界の第２段部３５に係止可能な肩部６１が形成されている。
【００４８】
保護カバー１１をボックスビット工具３０の根元側から当該ボックスビット工具３０に外嵌させると、前記肩部６１が第２段部３５に係止するので、保護カバー１１はさらに先端側に移動することができない。その結果、使用時に保護カバー１１がボックスビット工具３０から外れることがない。
【００４９】
また、ボックスビット工具３０の中間部３４の外周面であって、保護カバー１１を当該ボックスビット工具３０に装着したときに当該保護カバー１１の後端面よりもわずかに根元側の位置に周溝６０が形成されている。そして、この周溝６０にスナップリング６２が留められる。これにより、保護カバー１１の根元側への移動が規制される。その結果、ボルトを回動させる際に作業ミスによりボックスビット工具３０がワークに近接した場合でも、保護カバー１１によって、先端ボックス部３３がワークに触れるのを確実に防止することができる。スナップリング６２を周溝６０に留める作業及び当該周溝６０からはずす作業は、工具を用いて現場にて簡単に行うことができる。
【００５０】
また、保護カバー１１は、圧入によりボックスビット工具３０に装着されているのではなく、当該ボックスビット工具３０の根元側から外嵌させるだけであるので、工具を用いることなく現場で簡単に保護カバーの取り外し及び装着をすることができる。
【００５１】
〔第３実施形態〕
図８〜９は、本発明の第３実施形態に係る保護カバー２１をボックスビット工具３０に装着する操作を説明する斜視図であり、図１０は、図８に示される保護カバー２１の断面図である。なお、ボックスビット工具３０の構成は、第１実施形態において説明したものと同じであるので、簡単のためにそれらの説明を省略する。
【００５２】
第３実施形態に係る保護カバー２１は、ボックスビット工具３０の根元側から当該ボックスビット工具３０に外嵌可能な短円筒体からなっており、その内周面にはボックスビット工具３０の先端ボックス部３３と中間部３４との境界の第２段部３５に係止可能な肩部７０が形成されている。
【００５３】
保護カバー２１をボックスビット工具３０の根元側から当該ボックスビット工具３０に外嵌させると、前記肩部７０が第２段部３５に係止するので、保護カバー２１はさらに先端側に移動することができない。その結果、使用時に保護カバー２１がボックスビット工具３０から外れることがない。
【００５４】
また、保護カバー２１を構成する短円筒体の周壁には、止めネジ７１が螺入可能な孔７２が２個形成されている。２個の孔７２は、周方向において互いに対向する位置に形成されている。そして、この孔７２を利用して止めネジ７１をねじ込むことにより、保護カバー２１の根元側への移動が規制される。その結果、ボルトを回動させる際に作業ミスによりボックスビット工具３０がワークに近接した場合でも、保護カバー２１によって、先端ボックス部３３がワークに触れるのを確実に防止することができる。止めネジ７１を孔７２内にねじ込む作業及び止めネジ７１を孔７２から引き抜く作業は現場にて簡単に行うことができる。なお、止めネジ７１による保護カバー２１の固定をより確実にするために、先端ボックス部３３の外周面であって前記止めネジ７１の先端が当接する位置に凹部７３を形成することもできる。
【００５５】
また、保護カバー２１は、圧入によりボックスビット工具３０に装着されているのではなく、当該ボックスビット工具３０の根元側から外嵌させるだけであるので、工具を用いることなく現場で簡単に保護カバーの取り外し及び装着をすることができる。
【符号の説明】
【００５６】
１      保護カバー
２      第１筒体
３      第２筒体
３ａ    根元側第２筒体
３ｂ    先端側第２筒体
４      段部
５      段部
６      肩部
７      第２肩部
３０      ボックスビット工具
３１      本体部
３２      収容スペース
３３      先端ボックス部
３４      中間部
３５      段部
３６      第２段部
３７      ボール
３８      周溝
４０      駆動装置
４１      固定筒
４２      チャック部
４３      操作部
４４      コイルバネ
４６      ストッパー
４７      本体部
４９      開口
５０      凹部
６０      周溝
６１      肩部
６２      スナップリング  
７０      肩部
７１      止めネジ
７２      孔  
【図１】
0005471375.tif 000002
【図２】
0005471375.tif 000003
【図３】
0005471375.tif 000004
【図４】
0005471375.tif 000005
【図５】
0005471375.tif 000006
【図６】
0005471375.tif 000007
【図７】
0005471375.tif 000008
【図８】
0005471375.tif 000009
【図９】
0005471375.tif 000010
【図１０】
0005471375.tif 000011